【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
基部と、該基部に設けられる取付部とを具備し、該取付部が物体に取り付けられることにより、該基部に固着した物品を該物体上で支持する物品支持具において、
前記取付部は、
前記基部から突設される支柱及び該支柱から弾性変位可能に延設される第１フックを有する１つの第１係合要素と、
前記基部から突設される支柱及び該支柱から弾性変位可能に延設される第２フックを各々に有する一対の第２係合要素であって、それぞれが前記第１係合要素の両側に配置される一対の第２係合要素とを具備し、
前記第１フックと前記第２フックとは、互いに独立して弾性変位可能であるとともに、前記支柱を基準に互いに反対側に配置され、
前記第１係合要素の前記支柱と前記第２係合要素の前記支柱とが、前記基部上で互いに離隔して配置されること、
を特徴とする物品支持具。
【請求項２】
前記第１係合要素の前記支柱が、前記基部上で前記第２係合要素の前記支柱よりも高く突設される請求項１に記載の物品支持具。
【請求項３】
前記第１係合要素の前記支柱は、前記取付部を物体に取り付ける間に該物体に接触して前記第１フック及び前記第２フックを該物体に係合する位置に案内する案内面を有する請求項２に記載の物品支持具。
【請求項４】
前記取付部を物体に取り付けたときに、前記第１係合要素の前記支柱と前記第１フックとが該物体に係合する一方で、前記第２係合要素の前記支柱は該物体に係合しない位置に配置される請求項１〜３のいずれか１項に記載の物品支持具。
【請求項５】
前記取付部を物体に取り付けたときに、前記第１係合要素の前記支柱が、該物体上で荷重を担持するとともに、前記第１フックと前記第２フックとが該物体に係合して、物品支持具を該物体上に固定的に保持する請求項１〜４のいずれか１項に記載の物品支持具。
【請求項６】
前記第１フックと前記第２フックとの少なくとも一方が、前記基部と前記支柱との間に両端支持される請求項１〜５のいずれか１項に記載の物品支持具。
【請求項７】
前記第１フックと前記第２フックとの少なくとも一方は、前記取付部を物体に取り付けたときに、前記基部と該物体との間に所定の最小間隔を規定するスペーサ要素を含む請求項１〜６のいずれか１項に記載の物品支持具。
【手続補正２】
【補正対象書類名】明細書
【補正対象項目名】００１１
【補正方法】変更
【補正の内容】
【００１１】
上記目的を達成するために、請求項１に記載の発明は、基部と、基部に設けられる取付部とを具備し、取付部が物体に取り付けられることにより、基部に固着した物品を物体上で支持する物品支持具において、取付部は、基部から突設される支柱及び支柱から弾性変位可能に延設される第１フックを有する１つの第１係合要素と、基部から突設される支柱及び支柱から弾性変位可能に延設される第２フックを各々に有する一対の第２係合要素であって、それぞれが第１係合要素の両側に配置される一対の第２係合要素とを具備し、第１フックと第２フックとは、互いに独立して弾性変位可能であるとともに、支柱を基準に互いに反対側に配置され、第１係合要素の支柱と第２係合要素の支柱とが、基部上で互いに離隔して配置されること、を特徴とする物品支持具を提供する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２に記載の発明は、請求項１に記載の物品支持具において、第１係合要素の支柱が、基部上で第２係合要素の支柱よりも高く突設される物品支持具を提供する。
【手続補正５】
【補正対象書類名】明細書
【補正対象項目名】００１４
【補正方法】変更
【補正の内容】
【００１４】
請求項３に記載の発明は、請求項２に記載の物品支持具において、第１係合要素の支柱は、取付部を物体に取り付ける間に物体に接触して第１フック及び第２フックを物体に係合する位置に案内する案内面を有する物品支持具を提供する。
【手続補正６】
【補正対象書類名】明細書
【補正対象項目名】００１５
【補正方法】変更
【補正の内容】
【００１５】
請求項４に記載の発明は、請求項１〜３のいずれか１項に記載の物品支持具において、取付部を物体に取り付けたときに、第１係合要素の支柱と第１フックとが物体に係合する一方で、第２係合要素の支柱は物体に係合しない位置に配置される物品支持具を提供する。
【手続補正７】
【補正対象書類名】明細書
【補正対象項目名】００１６
【補正方法】変更
【補正の内容】
【００１６】
請求項５に記載の発明は、請求項１〜４のいずれか１項に記載の物品支持具において、取付部を物体に取り付けたときに、第１係合要素の支柱が、物体上で荷重を担持するとともに、第１フックと第２フックとが物体に係合して、物品支持具を物体上に固定的に保持する物品支持具を提供する。
【手続補正８】
【補正対象書類名】明細書
【補正対象項目名】００１７
【補正方法】変更
【補正の内容】
【００１７】
請求項６に記載の発明は、請求項１〜５のいずれか１項に記載の物品支持具において、第１フックと第２フックとの少なくとも一方が、基部と支柱との間に両端支持される物品支持具を提供する。
【手続補正９】
【補正対象書類名】明細書
【補正対象項目名】００１８
【補正方法】変更
【補正の内容】
【００１８】
請求項７に記載の発明は、請求項１〜６のいずれか１項に記載の物品支持具において、第１フックと第２フックとの少なくとも一方は、取付部を物体に取り付けたときに、基部と物体との間に所定の最小間隔を規定するスペーサ要素を含む物品支持具を提供する。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
請求項１に記載の発明によれば、第１係合要素の第１フックと第２係合要素の第２フックとが、互いに独立して物体に弾性的に係合して、物品支持具を物体に対し固定的に保持するとともに、それらフックとは反対側にある第１及び第２係合要素のいずれかの支柱が、物体に係合して、物体重量等の荷重を担持することができる。このとき、第１フック又は第２フックは、物体重量等の荷重を補助的に担持するようにも作用する。したがって、１つの係合要素への荷重の集中、及び粘着層を介して物品支持具を物品に固着している場合の粘着層への応力集中が回避され、物体上で何らかの荷重を担持している間の物品に対する位置ずれが防止される。また、取付部は、第１フック及び第２フックのいずれかが物体に正確に係合していれば、物品支持具を物体に対し固定的に保持できるので、両者間の位置ずれをある程度許容できる適応性を有する。さらに、係合機能を有する第１及び第２係合要素の支柱が主として荷重担持機能を発揮するように構成されているから、物体側に対応して設けられる荷重担持構造は、第１及び第２フックの係合用に不可欠に形成される物体縁部によって構成でき、したがって物体側の取付箇所の構造を簡略化できる。また、第１係合要素と第２係合要素との間で、支柱同士が相対変位できるようになって物体係合作用の独立性が高まるので、上記した取付部の適応性が一層向上する。また、第１及び第２係合要素による係合保持機能及び荷重担持機能の双方が向上する。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
請求項２に記載の発明によれば、物品支持具を物体に取り付ける際に、両者間に位置ずれが生じていた場合に、第１係合要素の支柱が最初に物体に係合することにより、物品支持具の自己位置を補正することができる。
【手続補正１４】
【補正対象書類名】明細書
【補正対象項目名】００２３
【補正方法】変更
【補正の内容】
【００２３】
請求項３に記載の発明によれば、第１係合要素の支柱に設けた案内面により、上記した自己位置補正機能が向上する。
【手続補正１５】
【補正対象書類名】明細書
【補正対象項目名】００２４
【補正方法】変更
【補正の内容】
【００２４】
請求項４及び請求項５に記載の発明によれば、いずれも、第１係合要素の支柱が主として荷重を担持しつつ、第１フックと第２フックとが物体に係合して物品支持具を固定的に保持するように機能する一方で、第２係合要素の支柱が物体に係合しないので、物体への取付部の係合作業が容易になる。
【手続補正１６】
【補正対象書類名】明細書
【補正対象項目名】００２５
【補正方法】変更
【補正の内容】
【００２５】
請求項６に記載の発明によれば、第１フック及び第２フックの少なくとも一方の強度を増加させることができる。
【手続補正１７】
【補正対象書類名】明細書
【補正対象項目名】００２６
【補正方法】変更
【補正の内容】
【００２６】
請求項７に記載の発明によれば、基部上に新たな突起等を追加形成することなく、基部と物体との間に所定の最小間隔を確保することができる。
【手続補正１８】
【補正対象書類名】明細書
【補正対象項目名】００２７
【補正方法】削除
【補正の内容】